(57)【要約】【課題】貼り付け対象に貼り付けた後におけるＩＣ回路部内の無線タグ情報の不用意な改変を防止する。【解決手段】情報を記憶するＩＣ回路部１５１とアンテナ１５２とを備えた無線タグ回路素子Ｔoを有する無線タグラベルＴであって、無線タグ回路素子Ｔoを貼り付け対象に貼り付けるための粘着材を備えた粘着層１０１ｃを無線タグ回路素子Ｔoのラベル厚み方向一方側に設け、無線タグ回路素子Ｔoは、その粘着層１０１ｃ側より受光可能な受光部１５９を備えている。【選択図】  図８
2006085519.tif 000002
【特許請求の範囲】
【請求項１】
情報を記憶するＩＣ回路部とこのＩＣ回路部に接続されるアンテナとを備えた無線タグ回路素子を有する無線タグラベルであって、
前記無線タグ回路素子を貼り付け対象に貼り付けるための貼付用粘着材を備えた貼付用粘着材層を、前記複数の無線タグ回路素子のラベル厚み方向一方側に設け、
前記無線タグ回路素子は、その前記貼付用粘着材層側より受光可能な受光部を備えていることを特徴とする無線タグラベル。
【請求項２】
情報を記憶するＩＣ回路部とこのＩＣ回路部に接続されるアンテナとを備えた無線タグ回路素子をテープ長手方向に複数個配設したタグテープであって、
前記無線タグ回路素子を貼り付け対象に貼り付けるための粘着材を備えた貼付用粘着材層を、前記複数の無線タグ回路素子のテープ厚み方向一方側に設け、
前記貼付用粘着材層の前記テープ厚み方向一方側を覆い、貼り付け時には剥離される剥離材層を設け、
前記無線タグ回路素子は、その前記剥離材層側より受光可能な受光部を備えていることを特徴とするタグテープ。
【請求項３】
請求項２記載のタグテープにおいて、
前記無線タグ回路素子は、前記受光部における受光状態に応じて、前記ＩＣ回路部に記憶された情報へのアクセスが制御されることを特徴とするタグテープ。
【請求項４】
請求項２又は３記載のタグテープにおいて、
前記剥離材層は、光透過性材料で構成されていることを特徴とするタグテープ。
【請求項５】
請求項４記載のタグテープにおいて、
前記剥離材層の前記光透過性材料は、特定範囲の波長の光を透過させる性質を備えていることを特徴とするタグテープ。
【請求項６】
請求項２又は３記載のタグテープにおいて、
前記剥離材層は、前記受光部への光を通過させるための開口部を備えていることを特徴とするタグテープ。
【請求項７】
請求項４乃至６のいずれか１項記載のタグテープにおいて、
前記貼付用粘着材層は、光透過性材料で構成されていることを特徴とするタグテープ。
【請求項８】
請求項２乃至７のいずれか１項記載のタグテープにおいて、
前記受光部のさらに前記剥離材層側に、タグ側レンズを設けたことを特徴とするタグテープ。
【請求項９】
請求項２乃至８のいずれか１項記載のタグテープにおいて、
前記剥離材層のさらに前記テープ厚み方向一方側に、剥離可能な遮光層を設けたことを特徴とするタグテープ。
【請求項１０】
請求項２乃至９のいずれか１項記載のタグテープにおいて、
前記無線タグ回路素子のテープ厚み方向他方側に、被印字テープを貼り合わせるための粘着材を備えた貼合せ用粘着材層を設けたことを特徴とするタグテープ。
【請求項１１】
情報を記憶するＩＣ回路部とこのＩＣ回路部に接続されるアンテナとを備えた無線タグ回路素子をテープ長手方向に複数個配設したタグテープを、巻回して構成したタグテープロールと、このタグテープロールを内設する筐体とを有し、
前記タグテープロールから前記タグテープを繰り出しつつこのタグテープを用いてタグラベルを作成するタグラベル作成装置に着脱可能に構成されたタグラベル作成装置用カートリッジであって、
前記タグテープは、前記無線タグ回路素子を貼り付け対象に貼り付けるための粘着材を備えた貼付用粘着材層を前記複数の無線タグ回路素子のテープ厚み方向一方側に設け、前記貼付用粘着材層の前記テープ厚み方向一方側を覆い貼り付け時には剥離される剥離材層を設け、前記無線タグ回路素子がその前記剥離材層側より受光可能な受光部を備えたことを特徴とするタグラベル作成装置用カートリッジ。
【請求項１２】
請求項１１記載のタグラベル作成装置用カートリッジにおいて、
前記筐体は、カートリッジ外より前記タグテープの前記受光部へ光を導入するための光導入部を備えることを特徴とするタグラベル作成装置用カートリッジ。
【請求項１３】
請求項１２記載のタグラベル作成装置用カートリッジにおいて、
前記光導入部を開閉可能な開閉手段を設けたことを特徴とするタグラベル作成装置用カートリッジ。
【請求項１４】
請求項１３記載のタグラベル作成装置用カートリッジにおいて、
前記カートリッジが前記タグラベル作成装置に装着されたときに、開閉手段を開き状態とする開閉補助手段を設けたことを特徴とするタグラベル作成装置用カートリッジ。
【請求項１５】
請求項１２乃至１４のいずれか１項記載のタグラベル作成装置用カートリッジにおいて、
前記光導入部に、カートリッジ側レンズを設けたことを特徴とするタグラベル作成装置用カートリッジ。
【請求項１６】
請求項１１乃至１５のいずれか１項記載のタグラベル作成装置用カートリッジにおいて、
前記筐体は、少なくとも前記タグテープロールに対する遮光が可能なように構成されていることを特徴とするタグラベル作成装置用カートリッジ。
【請求項１７】
情報を記憶するＩＣ回路部とこのＩＣ回路部に接続されるアンテナとを備えた無線タグ回路素子をテープ長手方向に複数個配設し、前記無線タグ回路素子を貼り付け対象に貼り付けるための粘着材を備えた貼付用粘着材層を前記複数の無線タグ回路素子のテープ厚み方向一方側に設け、前記貼付用粘着材層の前記テープ厚み方向一方側を覆い貼り付け時には剥離される剥離材層を設け、前記無線タグ回路素子がその前記剥離材層側より受光可能な受光部を備えたタグテープを、巻回して構成したタグテープロールと、このタグテープロールを内設し、カートリッジ外より前記タグテープの前記受光部へ光を導入するための光導入部を備えた筐体とを有するカートリッジを着脱可能なカートリッジホルダ部と、
前記タグテープを前記タグテープロールから繰り出すためのテープ駆動軸と、
前記光導入部に対向して配置された光照射部と、
この光照射部からの光照射を制御する制御手段とを有し、
前記タグテープロールから繰り出した前記タグテープを用いてタグラベルを作成することを特徴とするタグラベル作成装置。
【請求項１８】
請求項１７記載のタグラベル作成装置において、
前記無線タグ回路素子に通信用電力を非接触で供給する電力供給手段を有することを特徴とするタグラベル作成装置。
【請求項１９】
請求項１７又は１８記載のタグラベル作成装置において、
前記ＩＣ回路部の無線タグ情報にアクセスするアクセス情報を生成して前記アンテナに送信し、前記ＩＣ回路部の前記無線タグ情報へのアクセスを行う情報アクセス手段と、
この情報アクセス手段による前記アクセス情報の送信後、アクセス成否確認信号を前記アンテナに送信する確認送信手段と、
この確認送信手段による前記アクセス成否確認信号に応じて前記無線タグ回路素子から送信された返答信号を受信する受信手段とを有することを特徴とするタグラベル作成装置。
【発明の詳細な説明】
【技術分野】
【０００１】
本発明は、無線通信により外部と情報の送受が可能な無線タグラベル、このラベルを作成するためのタグテープ、及びこれを備えたタグラベル作成装置用カートリッジ、並びにタグラベル作成装置に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。例えばラベル状の無線タグ（無線タグラベル）に備えられた無線タグ回路素子は、所定の情報を記憶するＩＣ回路部とこのＩＣ回路部に接続されて情報の送受信を行うアンテナ部とを備えており、無線タグが汚れている場合や見えない位置に配置されている場合であっても、リーダ／ライタ側よりＩＣ回路部に対して情報の読み取り／書き込みが可能であり、商品管理や検査工程等の様々な分野において実用が期待されている。
【０００３】
無線タグとの通信において、例えば狭い範囲に複数の無線タグが存在している場合は、本来のアクセス（情報読み取り又は書き込み）対象である無線タグ回路素子のみならず、他の無線タグ回路素子のＩＣ回路部にまで情報の読み取り又は書き込みが行われてしまう可能性がある。
【０００４】
このような誤読み取り又は誤書き込み防止に配慮した従来技術として、本来のアクセス対象である無線タグ回路素子のみにアクセス可能とし、それ以外の無線タグ回路素子については暫定的にアクセス禁止状態（休眠状態）とする技術が既に提唱されている（例えば、特許文献１参照）。この従来技術では、無線タグ回路素子が受光部（光検出回路）を備えており、当該無線タグ回路素子に対し適切である所定の光信号が外部より受光部に入射した場合にのみ、無線タグ回路素子がアクセス禁止状態からアクセス許容状態に活性化され、外部と無線通信が可能となるように構成されている。
【０００５】
【特許文献１】特開平１０−２２９３５１号公報（段落番号０００８〜００３８、図１）
【発明の開示】
【発明が解決しようとする課題】
【０００６】
しかしながら、上記従来技術には以下の課題が存在する。
【０００７】
すなわち、各無線タグ回路素子の受光部に対し適切な光信号が入射すれば無線タグ回路素子と通信可能となるため、いったんＩＣ回路部の無線タグ情報にアクセスして無線タグラベルを作成しユーザがそのラベルを貼り付け対象に貼り付けた後であっても、何らかの理由で受光部に適切な光信号が入射するとＩＣ回路部内の無線タグ情報がユーザの知らないうちに不用意に改変される可能性がある。
【０００８】
本発明の目的は、貼り付け対象に貼り付けた後におけるＩＣ回路部内の無線タグ情報の不用意な改変を防止できる無線タグラベル、このラベルを作成するためのタグテープ、及びこれを備えたタグラベル作成装置用カートリッジ、並びにタグラベル作成装置タグテープを提供することにある。
【課題を解決するための手段】
【０００９】
上記目的を達成するために、第１の発明は、情報を記憶するＩＣ回路部とこのＩＣ回路部に接続されるアンテナとを備えた無線タグ回路素子を有する無線タグラベルであって、前記無線タグ回路素子を貼り付け対象に貼り付けるための貼付用粘着材を備えた貼付用粘着材層を、前記複数の無線タグ回路素子のラベル厚み方向一方側に設け、前記無線タグ回路素子は、その前記貼付用粘着材層側より受光可能な受光部を備えていることを特徴とする。
【００１０】
本願第１発明においては、無線タグ回路素子が受光部を備えていることにより、この受光部における光の受光状態に基づき、ＩＣ回路部の無線タグ情報の書き込みを行うように構成することができる。ラベルを使用する際には、貼付用粘着材層の貼付用粘着材によって貼り付け対象に貼り付けられる。このとき、受光部が貼付用粘着材層側より受光可能に備えられていることにより、上記のように貼り付けた後は、受光部は貼り付け対象側（言い換えればラベルの裏側）に隠れてしまう。この結果、受光部における光の受光をほぼ遮断することができるので、従来構造と異なり、貼り付けた後における無線タグ情報の改変を防止することができる。
【００１１】
上記目的を達成するために、第２の発明は、情報を記憶するＩＣ回路部とこのＩＣ回路部に接続されるアンテナとを備えた無線タグ回路素子をテープ長手方向に複数個配設したタグテープであって、前記無線タグ回路素子を貼り付け対象に貼り付けるための粘着材を備えた貼付用粘着材層を、前記複数の無線タグ回路素子のテープ厚み方向一方側に設け、前記貼付用粘着材層の前記テープ厚み方向一方側を覆い、貼り付け時には剥離される剥離材層を設け、前記無線タグ回路素子は、その前記剥離材層側より受光可能な受光部を備えていることを特徴とする。
【００１２】
本願第２発明においては、無線タグ回路素子が受光部を備えていることにより、この受光部における光の受光状態に基づき、ＩＣ回路部の無線タグ情報の書き込みを行うように構成することができる。そして、ラベルとして使用する際には、タグテープを所定長さに切断した後に貼付用粘着材層を覆う剥離材層が剥離されて、貼付用粘着材層の貼付用粘着材によって貼り付け対象に貼り付けられる。このとき、受光部が剥離材層側より受光可能に備えられていることにより、上記のように貼り付けた後は、受光部はテープ本体と貼り付け対象との間（言い換えればラベルの裏側）に隠れてしまう。この結果、受光部における光の受光をほぼ遮断することができるので、従来構造と異なり、貼り付けた後における無線タグ情報の改変を防止することができる。
【００１３】
第３の発明は、上記第２発明において、前記無線タグ回路素子は、前記受光部における受光状態に応じて、前記ＩＣ回路部に記憶された情報へのアクセスが制御されることを特徴とする。
【００１４】
受光部における光の受光状態に応じてＩＣ回路部の無線タグ情報の書き込みを行うように構成することで、ラベル貼り付け後の無線タグ情報改変を確実に防止できる。
【００１５】
第４の発明は、上記第２又は第３発明において、前記剥離材層は、光透過性材料で構成されていることを特徴とする。
【００１６】
これにより、テープ外からの光を光透過性材料の剥離材層を透過させた後、無線タグ回路素子の剥離材層側に位置する受光部へ導くことができる。
【００１７】
第５の発明は、上記第４発明において、前記剥離材層の前記光透過性材料は、特定範囲の波長の光を透過させる性質を備えていることを特徴とする。
【００１８】
これにより、完全に透明でなくても、その特定範囲の波長の光をテープ外から光透過性材料の剥離材層を透過させ、無線タグ回路素子の剥離材層側に位置する受光部へ導くことができる。また、特定範囲の波長の光を用いることで、本来の光でない他の光による誤動作を確実に防止することができる。
【００１９】
第６の発明は、上記第２又は第３発明において、前記剥離材層は、前記受光部への光を通過させるための開口部を備えていることを特徴とする。
【００２０】
これにより、テープ外からの光を剥離材層の開口部を介し、無線タグ回路素子の剥離材層側に位置する受光部へ導くことができる。
【００２１】
第７の発明は、上記第４乃至第６発明のいずれか１つにおいて、前記貼付用粘着材層は、光透過性材料で構成されていることを特徴とする。
【００２２】
これにより、テープ外から剥離材層を透過又は通過した後の光を、光透過性材料の貼付用粘着材層を透過させ、無線タグ回路素子の剥離材層側に位置する受光部へと確実に導くことができる。
【００２３】
第８の発明は、上記第２乃至第７発明のいずれか１つにおいて、前記受光部のさらに前記剥離材層側に、タグ側レンズを設けたことを特徴とする。
【００２４】
これにより、受光部への光を集光し受光感度を向上させることができる。
【００２５】
第９の発明は、上記第２乃至第８発明のいずれか１つにおいて、前記剥離材層のさらに前記テープ厚み方向一方側に、剥離可能な遮光層を設けたことを特徴とする。
【００２６】
これにより、受光部への光を入射する直前で遮る遮光層を備えつつ、無線タグ情報へのアクセスの直前で遮光層を剥離するようにすることで、本来の無線タグ情報の書き込み動作前の誤書き込みを確実に防止することができる。
【００２７】
第１０の発明は、上記第２乃至第９発明のいずれか１つにおいて、前記無線タグ回路素子のテープ厚み方向他方側に、被印字テープを貼り合わせるための粘着材を備えた貼合せ用粘着材層を設けたことを特徴とする。
【００２８】
貼合せ用粘着材層で被印字テープを貼合せることにより、この貼り合わせたタグテープを用いて、印字つきタグラベルを作成することができる。
【００２９】
上記目的を達成するために、第１１の発明は、情報を記憶するＩＣ回路部とこのＩＣ回路部に接続されるアンテナとを備えた無線タグ回路素子をテープ長手方向に複数個配設したタグテープを、巻回して構成したタグテープロールと、このタグテープロールを内設する筐体とを有し、前記タグテープロールから前記タグテープを繰り出しつつこのタグテープを用いてタグラベルを作成するタグラベル作成装置に着脱可能に構成されたタグラベル作成装置用カートリッジであって、前記タグテープは、前記無線タグ回路素子を貼り付け対象に貼り付けるための粘着材を備えた貼付用粘着材層を前記複数の無線タグ回路素子のテープ厚み方向一方側に設け、前記貼付用粘着材層の前記テープ厚み方向一方側を覆い貼り付け時には剥離される剥離材層を設け、前記無線タグ回路素子がその前記剥離材層側より受光可能な受光部を備えたことを特徴とする。
【００３０】
タグテープロールから繰り出されるタグテープには、ＩＣ回路部及びアンテナを備えた無線タグ回路素子が設けられており、ＩＣ回路部の無線タグ情報の書き込みを行うことによりタグラベルが作成される。ここで、本願第１１発明においては、上記無線タグ回路素子が受光部を備えていることにより、この受光部における光の受光状態に基づき、上記書き込みを行うように構成することができる。一方、ラベルを使用する際には、貼付用粘着材層の貼付用粘着材によって貼り付け対象に貼り付けられるが、本願第１１発明では、受光部が無線タグ回路素子の貼付用粘着材層側より受光可能に備えられている。これにより、上記のように貼り付けた後は、受光部はテープ本体と貼り付け対象との間（言い換えればラベルの裏側）に隠れてしまうので、受光部における光の受光をほぼ遮断することができる。この結果、従来構造と異なり、貼り付けた後における無線タグ情報の改変を防止することができる。
【００３１】
第１２の発明は、上記第１１発明において、前記筐体は、カートリッジ外より前記タグテープの前記受光部へ光を導入するための光導入部を備えることを特徴とする。
【００３２】
これにより、カートリッジ外からの光をカートリッジ内部に導入し、タグテープの受光部へと確実に導くことができる。
【００３３】
第１３の発明は、上記第１２発明において、前記光導入部を開閉可能な開閉手段を設けたことを特徴とする。
【００３４】
これにより、無線タグ回路素子の受光部に光導入を行わないときには開閉手段を閉じ状態にし、遮光を行うことができる。例えば開閉手段はタクラベル作成装置にセットされていないときは閉じ状態とし、装置にセットされると開き状態となるようにすればよい。
【００３５】
第１４の発明は、上記第１３発明において、前記カートリッジが前記タグラベル作成装置に装着されたときに、開閉手段を開き状態とする開閉補助手段を設けたことを特徴とする。
【００３６】
これにより、カートリッジ未装着状態では開閉手段を閉じ状態として確実に遮光を行いつつ、カートリッジ装着状態では開閉手段を開き状態とすることができる。
【００３７】
第１５の発明は、上記第１２乃至第１４発明のいずれか１つにおいて、前記光導入部に、カートリッジ側レンズを設けたことを特徴とする。
【００３８】
これにより、光導入部からタグテープ側への光を集光し、無線タグ回路素子の受光部における受光感度を向上させることができる。
【００３９】
第１６の発明は、上記第１１乃至第１５発明のいずれか１つにおいて、前記筐体は、少なくとも前記タグテープロールに対する遮光が可能なように構成されていることを特徴とする。
【００４０】
これにより、不用意にタグテープ側に光が入り無線タグ回路素子の受光部が受光して誤動作を行うのを確実に防止できる。
【００４１】
上記目的を達成するために、第１７の発明は、情報を記憶するＩＣ回路部とこのＩＣ回路部に接続されるアンテナとを備えた無線タグ回路素子をテープ長手方向に複数個配設し、前記無線タグ回路素子を貼り付け対象に貼り付けるための粘着材を備えた貼付用粘着材層を前記複数の無線タグ回路素子のテープ厚み方向一方側に設け、前記貼付用粘着材層の前記テープ厚み方向一方側を覆い貼り付け時には剥離される剥離材層を設け、前記無線タグ回路素子がその前記剥離材層側より受光可能な受光部を備えたタグテープを、巻回して構成したタグテープロールと、このタグテープロールを内設し、カートリッジ外より前記タグテープの前記受光部へ光を導入するための光導入部を備えた筐体とを有するカートリッジを着脱可能なカートリッジホルダ部と、前記タグテープを前記タグテープロールから繰り出すためのテープ駆動軸と、前記光導入部に対向して配置された光照射部と、この光照射部からの光照射を制御する制御手段とを有し、前記タグテープロールから繰り出した前記タグテープを用いてタグラベルを作成することを特徴とする。
【００４２】
本願第１７発明においては、テープ駆動軸によってタグテープロールからタグテープが繰り出され、そのタグテープにＩＣ回路及びアンテナを備えた無線タグ回路素子が設けられ、ＩＣ回路部の無線タグ情報の書き込みを行うことによりタグラベルが作成される。このとき、タグテープの無線タグ回路素子は受光部を備えており、制御手段に制御される光照射部から照射された光がカートリッジの光導入部を介しタグテープの上記受光部へと導びかれ、この受光部における光の受光状態に基づき上記書き込みが行われる。
【００４３】
一方、ラベルを使用する際には、タグテープに備えられた貼付用粘着材層の貼付用粘着材によって貼り付け対象に貼り付けられるが、本願第１６発明では、上記受光部が貼付用粘着材層側より受光可能に備えられている。これにより、上記のように貼り付けた後は、受光部はテープ本体と貼り付け対象との間（言い換えればラベルの裏側）に隠れてしまうので、受光部における光の受光をほぼ遮断することができる。この結果、従来構造と異なり、貼り付けた後における無線タグ情報の改変を防止することができる。
【００４４】
第１８の発明は、上記第１７発明において、無線タグ回路素子に通信用電力を非接触で供給する電力供給手段を有することを特徴とする。
【００４５】
電力供給手段で供給した通信用電力を駆動源として、無線タグ回路素子がアンテナ側との通信を行うことができる。
【００４６】
第１９の発明は、第１７又は１８発明において、ＩＣ回路部の無線タグ情報にアクセスするアクセス情報を生成して前記アンテナに送信し、前記ＩＣ回路部の前記無線タグ情報へのアクセスを行う情報アクセス手段と、この情報アクセス手段による前記アクセス情報の送信後、アクセス成否確認信号を前記アンテナに送信する確認送信手段と、この確認送信手段による前記アクセス成否確認信号に応じて前記無線タグ回路素子から送信された返答信号を受信する受信手段とを有することを特徴とする。
【発明の効果】
【００４７】
本発明によれば、ラベルを貼り付けた後は、受光部はラベルの裏側に隠れてしまい、受光部における光の受光をほぼ遮断することができるので、ＩＣ回路部内の無線タグ情報の不用意な改変を防止できる。
【発明を実施するための最良の形態】
【００４８】
以下、本発明の一実施の形態を図面を参照しつつ説明する。
【００４９】
図１は、本実施形態の無線タグラベルを作成するラベル作成装置を備えた無線タグ生成システムを表すシステム構成図である。
【００５０】
図１に示すこの無線タグ生成システム１において、ラベル作成装置２は、有線あるいは無線による通信回線３を介してルートサーバ４、端末５、汎用コンピュータ６、及び複数の情報サーバ７に接続されている。
【００５１】
図２は、上記ラベル作成装置２の詳細構造を表す概念的構成図である。
【００５２】
図２において、ラベル作成装置２の装置本体８には、凹所としてのカートリッジホルダ部（図示せず）が設けられ、このホルダ部に、カートリッジ１００が着脱可能に取り付けられている。
【００５３】
装置本体８は、第２ロール（被印字テープロール）１０４から繰り出されるカバーフィルム（被印字テープ）１０３に所定の印字（印刷）を行う印字ヘッド（印字手段；例えばサーマルヘッド）１０と、カバーフィルム１０３への印字が終了したインクリボン１０５を駆動するリボン巻取りローラ駆動軸１１と、カバーフィルム１０３と第１ロール（タグテープロール）１０２から繰り出される基材テープ（タグテープ）１０１とを貼り合わせつつ印字済タグラベル用テープ１１０としてカートリッジ１００から繰り出すための圧着ローラ駆動軸１２と、印字済タグラベル用テープ１１０に備えられる無線タグ回路素子Ｔo（詳細は後述）との間でＵＨＦ帯等の高周波を用いて無線通信により信号の送受を行うアンテナ（装置側アンテナ）１４と、上記印字済タグラベル用テープ１１０を所定のタイミングで所定の長さに切断し本実施形態によるラベル状の無線タグラベルＴ（詳細は後述）を生成するカッタ１５と、無線タグラベルＴを搬出口１６へと搬送し送出する送出ローラ１７と、それらを収納するように外郭を構成し、カートリッジ１００を着脱可能に嵌合させる上記カートリッジホルダ部及び上記搬出口１６を備える筐体９とを有する。
【００５４】
アンテナ１４は、一方側（この例では図２の紙面に向かって手前側）に指向性を備えた指向性アンテナ（この例ではいわゆるパッチアンテナ）で構成されるとともに上記第１ロール１０２の軸方向（図２の紙面に向かって奥側）近傍に配置されており、後述の凸レンズ１３０と正対する領域近傍の無線タグ回路素子Ｔoと通信可能となるように配置されている。
【００５５】
一方、装置本体８はまた、カートリッジ１００に設けた凸レンズ（カートリッジ側レンズ）１３０に対向するように配置した光照射部としての発光ダイオード１９と、この発光ダイオード１９を駆動して光照射させる光照射駆動回路２０と、上記アンテナ１４を介し上記無線タグ回路素子Ｔoへアクセスする（書き込み又は読み取りを行う）ための高周波回路２１と、無線タグ回路素子Ｔoから読み出された信号を処理するための信号処理回路２２と、前述したリボン巻取りローラ駆動軸１１、圧着ローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、上記高周波回路２１、信号処理回路２２、光照射駆動回路２０、カートリッジ駆動回路２４、印刷駆動回路２５、ソレノイド駆動回路２７、送出ローラ駆動回路２９等を介し、ラベル作成装置２全体の動作を制御するための制御回路３０とを有する。
【００５６】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００５７】
図３は、上記カートリッジ１００の外観を表す斜視図であり、図４は、上記カートリッジ１００の詳細構造を説明するための説明図である。
【００５８】
これら図３及び図４において、カートリッジ１００は、筐体１００Ａと、この筐体１００Ａ内に配置され帯状の上記基材テープ１０１が巻回された上記第１ロール１０２と、上記基材テープ１０１と略同じ幅である透明な上記カバーフィルム１０３が巻回された上記第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープとしつつ矢印Ａで示す方向にテープ送りをする（＝テープ送りローラとしても機能する）圧着ローラ１０７と、カートリッジ外より内部へ光を導入する光導入部として筐体１００Ａに設けられた開口部１３１と、この開口部１３１に設けられ集光機能を果たす上記凸レンズ１３０とを有する。なお、集光する必要がない場合には凸レンズ１３０を設けず開口部１３１のままとしてもよい。
【００５９】
第１ロール１０２は、リール部材１０２ａの周りに、長手方向に複数の無線タグ回路素子Ｔoが所定の等間隔で順次形成された上記基材テープ１０１を巻回している。
【００６０】
基材テープ１０１はこの例では４層構造となっており（図４中部分拡大図参照）、内側に巻かれる側（図４中右側）よりその反対側（図４中左側）へ向かって、適宜の粘着材からなる粘着層（貼合せ用粘着材層）１０１ａ、ＰＥＴ（ポリエチレンテレフタラート）等から成る色付きのベースフィルム１０１ｂ、適宜の粘着材からなる粘着層（貼付用粘着材層）１０１ｃ、剥離紙（剥離材層）１０１ｄの順序で積層され構成されている。
【００６１】
ベースフィルム１０１ｂの裏側（図４中左側）には、情報の送受信を行うアンテナ（タグ側アンテナ）１５２が一体的に設けられており、これに接続するように情報を更新可能に（書き換え可能rewritableに）記憶するＩＣ回路部１５１が形成され、これらによって無線タグ回路素子Ｔoが構成されている。
【００６２】
ベースフィルム１０１ｂの表側（図４中右側）には、後にカバーフィルム１０３を接着するための上記粘着層１０１ａが形成され、またベースフィルム１０１ｂの裏側（図４中左側）には、無線タグ回路素子Ｔoを内包するように設けた上記粘着層１０１ｃによって上記剥離紙１０１ｄがベースフィルム１０１ｂに接着されている（言い換えれば剥離紙１０１ｄはベースフィルム１０１のうちカバーフィルム１０３張り合わせ側と反対側（反印字側）に設けられている）。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
そして、本発明の特徴の一つとして、無線タグ回路素子Ｔoの剥離紙１０１ｄ側近傍（この例ではアンテナ１５２の剥離紙１０１ｄ側の粘着層１０１ｃに）には光を集光するためのレンズ部（タグ側レンズ）１４０が設けられ、剥離紙１０１ｄには、上記カートリッジ１００の凸レンズ１３０から導入された光を上記レンズ部１４０に導くための開口部１０１ｄＡが設けられている。なおこの開口部１０１ｄＡは図示のような窓のような単純穴形状でなく、光を通す多孔メッシュ形状に構成されていてもよい。
【００６３】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール１１１及び上記リボン巻取りローラ１０６で駆動されるリボン１０５が、上記印字ヘッド１０に押圧されることで当該カバーフィルム１０３の裏面に当接させられるようになっている。
【００６４】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記圧着ローラ駆動軸１２に伝達されることによって回転駆動される。
【００６５】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が上記印字ヘッド１０に押圧されて当該カバーフィルム１０３の裏面に当接させられる。
【００６６】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述の圧着ローラ駆動軸１２と上記サブローラ１０９及びプラテンローラ１０８はギヤ（図示せず）にて連結されており、圧着ローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図８参照）が印刷される。そして、上記基材テープ１０１と上記印刷が終了したカバーフィルム１０３とが上記圧着ローラ１０７及びサブローラ１０９により接着されて一体化され、印字済タグラベル用テープとして形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。また、第１ロール１０２の繰り出し近傍にはガイドローラ１２０が設けられており、第１ロール１０２の残量により外径が変化しても、装置側のアンテナ１４と無線タグラベルＴの位置関係や凸レンズ１３０と無線タグラベルＴとの位置関係が所定の範囲となるように規制して、無線タグ回路素子Ｔoとの通信条件を一定に保つようになっている。
【００６７】
図５は、上記高周波回路２１の詳細機能を上記発光ダイオード１９及び光照射駆動回路２０と併せて示す機能ブロック図である。この図５において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００６８】
送信部３２は、無線タグ回路素子ＴoのＩＣ回路部１５１の無線タグ情報にアクセスする(書き込み又は読み取りを行う)ための搬送波を発生させる水晶振動子３５、ＰＬＬ（Phase
Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。なお、無線タグ情報は上記のように変調した信号に限られず、単なる搬送波のみの場合もある。
【００６９】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に位相が９０°遅れた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００７０】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。なお、ＲＳＳＩ回路４８の信号強度が所定レベルに達したかどうかを判定するレベル判定部４９を適宜設けその判定結果を信号処理回路２２に入力し利用するようにしてもよい。以上のようにして、本実施形態のラベル作成装置２では、Ｉ−Ｑ直交復調によって無線タグ回路素子Ｔoからの反射波の復調が行われる。
【００７１】
図６は、上記無線タグ回路素子Ｔoの機能的構成を表す機能ブロック図である。この図６において、無線タグ回路素子Ｔoは、ラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００７２】
ＩＣ回路部１５１は、アンテナ１５２により受信された搬送波を整流する整流部１５３と、この整流部１５３により整流された搬送波のエネルギを蓄積し駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。また本発明の特徴の一つとして、周知のフォトダイオードと増幅回路を含む受光部１５９が制御部１５５に接続されて設けられ、入光時にはこれに対応する信号（検知信号）を制御部１５５へ出力するようになっている。
【００７３】
変復調部１５８は、アンテナ１５２により受信された上記ラベル作成装置２のアンテナ１４からの通信信号の復調を行うと共に、上記制御部１５５からの応答信号に基づき、アンテナ１５２より受信された搬送波を変調反射する。
【００７４】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。また制御部１５５は、上記受光部１５９から入力される検知信号に応じて、メモリ部１５７の記憶情報へのアクセスを制御するようになっている。すなわち、この例では、制御部１５５は、受光部１５９にて入光していないときは無線タグ回路素子Ｔo全体の機能のうち、メモリ部１５７への書き込み機能を禁止させ（メモリ部１５７に記憶された情報の読み取り機能については活かしておく）る一方、受光部１５９に入光した場合には上記メモリ部１５７への書き込み機能を有効とし、書き込み可能とするようになっている。
【００７５】
図７（ａ）及び図７（ｂ）は、上述のようにして無線タグ回路素子Ｔoの情報書き込み及び印字済タグラベル用テープ１１０の切断が完了し形成された無線タグラベルＴの外観の一例を表す図であり、図７（ａ）は上面図、図７（ｂ）は下面図である。また図８は、図７中VIII−VIII′断面による横断面図である。
【００７６】
これら図７（ａ）、図７（ｂ）、及び図８において、無線タグラベルＴは、図４に示した４層構造にカバーフィルム１０３が加わった５層構造となっており、カバーフィルム１０３側（図８中上側）よりその反対側（図８中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。前述したように粘着層１０１ｃにはレンズ部１４０が設けられており、開口部１０１ｄＡより導入されレンズ部１４０にて集光された光は、無線タグ回路素子ＴoのＩＣ回路部１５１の上記受光部１５９（図６参照）に入射されるようになっている。すなわち、受光部１５９は、無線タグ回路素子Ｔoの粘着層１０１ｃ側（言い換えれば剥離紙１０１ｄ側）から受光可能となっている。
【００７７】
なお、図８のように剥離紙１０１ｄに開口部１０１ｄＡを設けるのに代え、図９に示すように、剥離紙１０１ｄ′自体を例えば透明な光透過性材料で構成しても同様の効果を得る。さらに図１０に示すように、剥離紙１０１ｄ″を特定範囲の波長の光（例えば赤色光）を透過させる性質を備えた光透過性材料にて構成してもよい。これにより、完全に透明でなくても、その特定範囲の波長の光をテープ外から剥離紙１０１ｄ″を透過させ上記受光部１５９へ導くことができる。また、特定範囲の波長の光を用いることで、本来の光でない他の光による誤動作を確実に防止できる。また図８、図９、図１０において、上記粘着層１０１ｃをさらに上記同様の光透過性の材料で構成してもよい。この場合、さらに確実に受光部１５９へ光を入射させることができる。
【００７８】
図１１は、上述したようなラベル作成装置２による無線タグ回路素子ＴoのＩＣ回路部１５１の無線タグ情報へのアクセス(書き込み又は読み取り)に際して、上記した端末５又は汎用コンピュータ６に表示される画面の一例を表す図である。
【００７９】
図１１において、この例では、無線タグ回路素子Ｔoに対応して印刷された印字文字Ｒ、その無線タグ回路素子Ｔoに固有のＩＤであるアクセス（書き込み又は読み取り）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作によりラベル作成装置２が作動されて、カバーフィルム１０３に上記印字文字Ｒが印刷されると共に、後述するようにＩＣ回路部１５１に上記書き込みＩＤ及び物品情報等の情報が書き込まれる（又はＩＣ回路部１５１に予め記憶された物品情報等の無線タグ情報が読みとられる）。
【００８０】
上記のような書き込み（又は読み取り）の際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００８１】
図１２は、上述した無線タグラベルＴの作成、すなわち、カバーフィルム１０３を搬送し印字ヘッド１０で所定の印字を行いつつアンテナ１４より所定の無線タグ情報を書き込んだ基材テープ１０１を貼り合わせて印字済タグラベル用テープ１１０とした後無線タグ回路素子Ｔoごとに切断し無線タグラベルＴとする際に、制御回路３０によって実行される制御手順を表すフローチャートである。
【００８２】
この図１２において、ラベル作成装置２の書き込み操作が行われるとこのフローが開始される。そして、まずステップＳ１０において、上記端末５又は汎用コンピュータ６を介して入力操作された、アンテナ１４より無線タグ回路素子ＴoのＩＣ回路部１５１へ書き込むべき無線タグ情報と、印字ヘッド１０により無線タグラベルＴへ印字すべき印字情報とが、通信回線３及び入出力インターフェイス３１を介し読み込まれる。
【００８３】
その後、ステップＳ１５に移り、通信不良等が疑われるときのリトライ（再試行）の回数をカウントする変数Ｎ、及び通信良好か不良かを表すフラグＦを０に初期化する。
そして、ステップＳ１７に移り、光照射駆動回路２０に制御信号を出力して発光ダイオード１９を駆動し、光照射を開始する。これによりこの発光ダイオード１９より出射された光がカートリッジ筐体１００Ａに設けた上記凸レンズ１３０に入射され、この凸レンズ１３０で集光されて基材テープ１０１位置へと導かれる。
【００８４】
次に、ステップＳ２０において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給されるとともに、第２ロール１０４からはカバーフィルム１０３が繰り出される。さらに送出ローラ駆動回路２９を介して送出ローラ用モータ２８に制御信号を出力し、送出ローラ１７を回転駆動させる。以上の結果、前述したように基材テープ１０１と（後述のように印刷が終了した）カバーフィルム１０３とが上記圧着ローラ１０７及びサブローラ１０９により接着されて一体化され、印字済タグラベル用テープ１１０としてカートリッジ体１００外方向へと搬送されていくように、各テープ１０１，１０３，１１０が駆動開始される。
【００８５】
このように駆動開始されたとき、基材テープ１０１については、前述したように上記ステップＳ１７で凸レンズ１３０に正対する位置には光が入射している状態である。このため、基材テープ１０１の上記駆動によって無線タグ回路素子Ｔoが上記凸レンズ１３０による入射位置に来ると、光が上記剥離紙１０１ｄの開口部１０１ｄＡを介して（図９の構成では透明な剥離紙１０１ｄ′を透過して、図１０の構成では特定波長の光が光透過性材質の剥離紙１０１ｄ″を通過して）凸レンズ１４０へ入射し、無線タグ回路素子Ｔoの受光部１５９にて受光される。この結果、受光部１５９からの検知信号に基づき、無線タグ回路素子ＴoのＩＣ回路部１５１の上記制御部１５５が、それまで書き込み機能が禁止されていた無線タグ回路素子Ｔoを書き込み許可状態とするので、受光部１５９にて受光している間（凸レンズ１３０と正対している間）無線タグ回路素子Ｔoはメモリ部１５７への情報書き込みが可能な状態となる。
【００８６】
そこで、このタイミングと同期するように、ステップＳ３０において、制御回路３０が、上記書き込み機能の活性化状態にある無線タグ回路素子Ｔoに対して無線タグ情報を送信し書き込み処理を行う（詳細は後述の図１３を参照）。なお、この書き込み処理は（上記凸レンズ１３０から受光部１５９が受光しうる程度の）極めて短い時間で完了することができる。その後、基材テープ１０１がさらに駆動されて受光部１５９が凸レンズ１３０の正対位置からずれて受光しなくなると、無線タグ回路素子Ｔoの書き込み機能は再び禁止され、メモリ部１５７への情報書き込みができなくなる（情報読みとりは可能）。なおこのとき、筐体１００Ａは、少なくとも第１ロール１０２に対する遮光が可能なような材質及び構造とされており、これによって、不用意に基材テープ１０１側に光が入り無線タグ回路素子Ｔoの受光部１５９が受光して誤動作を行うのを防止するようになっている。
【００８７】
そして、ステップＳ３５Ａに移り、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、ステップＳ１０で読み込んだ文字、記号、バーコード等の印字Ｒを印刷させる。ステップＳ３５Ａが終了すると、ステップＳ３９に移る。
【００８８】
ステップＳ３９では、フラグＦ＝０であるかどうかが判定される。書き込み処理が正常に完了していればＦ＝０のまま（後述の図１３に示すフローのステップＳ３８参照）であるので、この判定が満たされ、ステップＳ４０に移る。
【００８９】
ステップＳ４０では、上記ステップＳ３０で無線タグ回路素子Ｔoへ書き込んだ無線タグ情報と、これに対応して印字ヘッド１０により印字された印字情報との組み合わせが、入出力インターフェイス３１及び通信回線３を介し端末５又は汎用コンピュータ６を介して出力され、情報サーバ７やルートサーバ４に記憶される。なお、この記憶データは必要に応じて端末５又は汎用コンピュータ６より参照可能に例えばデータベース内に格納保持される。
【００９０】
その後、ステップＳ５０で、カバーフィルム１０３のうちこの時点で処理対象としている無線タグ回路素子Ｔoに対応する領域への印字がすべて完了しているかどうかを確認した後、ステップＳ６０へ移る。
【００９１】
なお、何らかの理由で書き込み処理が正常に完了していない場合はＦ＝１とされている（後述の図１３に示すフローのステップＳ３８参照）ので前述のステップＳ３９の判定が満たされず、ステップＳ４５に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、上記ステップＳ６０へ移る。
【００９２】
ステップＳ６０では、印字済タグラベル用テープ１１０がカッタ１５で切断されるべき所定位置にまで搬送されたかどうかを判定する。具体的には、例えば、対象とする無線タグ回路素子Ｔo及びこれに対応するカバーフィルム１０３の印字領域のすべてがカッタ１５を所定の長さ(余白量)分だけ越えたかどうかを、基材テープ１０１（詳細には例えば剥離紙１０１ｄ、あるいはカバーフィルム１０３等でもよい）に対し各無線タグ回路素子Ｔoに対応して設けた適宜の識別用マークをカートリッジ１００外（例えばカッタ１５のさらに搬送方向下流側）に設けた公知のテープセンサで検出することにより行えば足りる。またこのような検出を行わず、印字Ｒの印字文字長に所定の余白領域分を加えた長さが無線タグ回路素子Ｔoの全長を超えているかどうかを印字情報に基づき判定する（超えていれば、少なくともカバーフィルム１０３の印字が完了した段階でその余白領域外をカッタ１５で切断するようにすれば、貼り合わせられる無線タグ回路素子Ｔoを切断することは回避できるため）ことで代用してもよい。
【００９３】
上記ステップＳ６０の判定が満たされたら、ステップＳ７０に移る。ステップ  Ｓ７０では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。ステップＳ７０が終了すると、ステップＳ８０へ移る。
【００９４】
ステップＳ８０では、ソレノイド駆動回路２７に制御信号を出力してソレノイド２６を駆動し、カッタ１５によって印字済タグラベル用テープ１１０の切断を行う。前述したように、この時点で、例えば処理対象の無線タグ回路素子Ｔo及びこれに対応するカバーフィルム１０３の印字領域のすべてがカッタ１５を十分に越えており、このカッタ１５の切断によって、無線タグ回路素子Ｔoに無線タグ情報が書き込まれかつこれに対応する所定の印字が行われたラベル状の無線タグラベルＴが生成される。
【００９５】
その後、ステップＳ９０に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ１５０でラベル状に生成された無線タグラベルＴが搬出口１６へ向かって搬送され、搬出口１６から装置２外へと排出される。
【００９６】
図１３は、上記ステップＳ３０の詳細手順を表すフローチャートである。
【００９７】
図１３において、図１２における前述のステップＳ２０が終了すると、まずステップＳ３１に移り、所望のデータをメモリ部１５７に書き込む「Program」コマンドを信号処理回路２２に出力する。これに基づき信号処理回路２２で本来書き込みたいＩＤ情報を含む無線タグ情報としての「Program」信号が生成されて、高周波回路２１の送信部３２及びアンテナ１４を介し、前述のように凸レンズ１３０と正対する位置にあり書き込み機能が許可状態にある無線タグ回路素子Ｔoに送信され、そのメモリ部１５７に情報が書き込まれる。
【００９８】
その後、ステップＳ３２において、メモリ部１５７の内容を確認する「Verify」コマンドを信号処理回路２２に出力する。これに基づき信号処理回路２２で無線タグ情報としての「Verify」信号が生成されて高周波回路２１の送信部３２及びアンテナ１４を介して上記書き込み許可状態の無線タグ回路素子Ｔoに送信され、返信を促す。
【００９９】
そして、ステップＳ３３に移り、上記「Verify」信号に対応して上記無線タグ回路素子Ｔoから送信（返信）されたリプライ（応答）信号をアンテナ１４を介して受信し、高周波回路２１の受信部３３及び信号処理回路２２を介し取り込む。
【０１００】
次に、ステップＳ３４において、上記ステップＳ３３の受信結果に基づき、上記書込対象の無線タグ回路素子Ｔoから有効なリプライ信号（メモリ部１５７に正常に記憶されたことを表す信号）が受信されたかどうかを判定する。
【０１０１】
判定が満たされたら、書込対象の無線タグ回路素子Ｔoに正しく書き込まれていることから、このルーチンを終了する。判定が満たされない場合はステップＳ３５に移ってＮに１を加え、さらにステップＳ３６においてＮ＝５かどうかが判定される。Ｎ≦４の場合は判定が満たされずステップＳ３１に戻り同様の手順を繰り返す。Ｎ＝５の場合は前述したステップＳ３７に移る。ステップＳ３７では、エラー表示信号を入出力インターフェイス３１及び通信回線３を介し上記端末５又は汎用コンピュータ６へ出力し、対応する書き込み失敗（エラー）表示を行わせた後、ステップＳ３８でフラグＦ＝１としてこのルーチンを終了する。このように、情報書き込みが不調でも５回までは再試行が行われることにより、書き込み信頼性の確保上、万全を期すことができる。
【０１０２】
以上において、制御回路３０及び光照射駆動回路２０が、各請求項記載の、光照射部からの光照射を制御する制御手段を構成する。また、高周波回路２１及びアンテナ１４が無線タグ回路素子に通信用電力を非接触で供給する電力供給手段を構成する。なお、これに代えてループコイルを用いてもよい。
【０１０３】
また、信号処理回路２２及び高周波回路２１の送信部３２が、ＩＣ回路部の無線タグ情報にアクセスするアクセス情報を生成して前記アンテナに送信し、ＩＣ回路部の無線タグ情報へのアクセスを行う情報アクセス手段を構成するとともに、この情報アクセス手段によるアクセス情報の送信後、アクセス成否確認信号をアンテナに送信する確認送信手段をも構成する。さらに、高周波回路２１の受信部３３は、確認送信手段による前記アクセス成否確認信号に応じて前記無線タグ回路素子から送信された返答信号を受信する受信手段を構成する。
【０１０４】
以上説明したラベル作成装置２において、無線タグ回路素子Ｔoへの無線タグ情報の書き込みの際には、前述のように、発光ダイオード１９からの光がカートリッジ筐体１００Ａの凸レンズ１３０を介しカートリッジ１００内に導入される。そして基材テープ１０１が駆動されて無線タグ回路素子Ｔoの受光部１５９でこの光が受光されると、無線タグ回路素子Ｔoの書き込み機能が活性化されてメモリ部１５７への情報書き込みが可能となる。この状態で、信号処理回路２２及び高周波回路送信部３２で作成された無線タグ情報がアンテナ１４から基材テープ１０１上の無線タグ回路素子Ｔoのアンテナ１５２に対し無線通信によって伝達され、さらにアンテナ１５２に接続されたＩＣ回路部１５１のメモリブ１５７へと書き込まれる。このようにして無線タグ情報が書き込まれた後は、基材テープ１０１の駆動によって受光部１５９には光は入射しなくなるため、再び無線タグ回路素子Ｔoの書き込み機能が禁止された後、対応する印字がされたカバーフィルム１０３と貼り合わされ、所定の長さに切断されて無線タグラベルＴが生成される。
そして、この無線タグラベルＴを使用する際には、貼付用である粘着層１０１ｃの粘着材によって貼り付け対象に貼り付けられる。このとき、無線タグ回路素子ＴoのＩＣ回路部１５１に備えられた受光部１５９が（カバーフィルム１０３側でなく）剥離紙１０１ｄ側から受光するように設けられていることにより、上記のように貼り付け対象に貼り付けた後は、受光部１５９はベースフィルム１０１ｂと貼り付け対象との間（言い換えれば無線タグラベルＴの裏側）に隠れてしまう。この結果、貼り付け後は受光部１５９における光の受光をほぼ遮断することができるので、従来構造と異なり、貼り付けた後における無線タグ情報の改変を防止することができる。
【０１０５】
また本実施形態の無線タグラベルＴでは、特に、受光部１５９のさらに剥離紙１０１ｄ側に凸レンズ１４０を備えていることにより、上記カートリッジ１００内での無線タグ情報の書き込みの際、受光部１５９への光を集光し受光感度を向上させることができる。さらに、本実施形態の無線タグラベル作成装置用カートリッジ１００においては、筐体１００Ａに凸レンズ１３０を設けたことにより、発光ダイオード１５９からカートリッジ１００内の基材テープ１０１側への光を集光し、これによっても無線タグ回路素子Ｔoの受光部１５９における受光感度を向上させることができる。
【０１０６】
なお、上記実施形態は、上記以外にも、その趣旨と技術思想の範囲を逸脱しない範囲でさらに種々の変形が可能である。以下、そのような変形例を順次説明する。
【０１０７】
（１）カートリッジを用いない場合
図１４は、カートリッジを用いない変形例によるラベル作成装置２′の詳細構造を表す概念的構成図であり、上記実施形態の図２に相当する図である。図２と同等の部分には同一の符号を付し、適宜説明を省略する。図１４において、この変形例では、装置本体８に、上記搬出口１６を備えた筐体９が設けられており、この筐体９に上記実施形態と同様のアンテナ１４が設けられている。
【０１０８】
アンテナ１４は、上記実施形態と同様、一方側（この例では図１４の紙面に向かって手前側）に指向性を備えた指向性アンテナ（パッチアンテナ）で構成されるとともに上記第１ロール１０２の軸方向（図１４の紙面に向かって奥側）近傍に配置されており、同様の凸レンズ１３０（適宜の支持手段によって例えば筐体９に対し支持されている）の正対領域近傍の無線タグ回路素子Ｔoと通信可能となるように配置されている。
【０１０９】
また、上記のようにカートリッジ１００が省略されカートリッジ１００に設けられていた各部材が直接筐体９に設けられているのに対応し、この例では、圧着ローラ駆動軸１２及びリボン巻取りローラ駆動軸１１は、上記実施形態のカートリッジ駆動回路２４により駆動制御されるカートリッジ用モータ２３に相当する圧着ローラ駆動回路２４′により駆動制御される圧着ローラ用モータ２３′によって駆動されるようになっている。
【０１１０】
本変形例においても、作成後の無線タグラベルＴにおいて、貼り付け後は受光部１５９における光の受光がほぼ遮断され、無線タグ情報の改変を防止することができるという上記実施形態と同様の効果を得る。
【０１１１】
（２）貼り合わせを行わない場合
すなわち、上記実施形態のように、無線タグ回路素子Ｔoを備えたタグテープ（基材テープ）１０１とは別のカバーフィルム１０３に印字を行ってこれらを貼り合わせるのではなく、タグテープに備えられたカバーフィルムに印字を行うラベル作成装置用カートリッジに本発明を適用した場合である。
【０１１２】
図１５はそのような変形例におけるカートリッジ１００′の詳細構造を説明するための説明図であり、上記実施形態における前述の図４等に対応する図である。図４等と同等の部分には同一の符号を付し、適宜説明を省略する。
【０１１３】
図１５において、カートリッジ１００′は、感熱テープ１０１′（タグテープ）が巻回された第１ロール（タグテープロール）１０２′と、この感熱テープ１０１′をカートリッジ１００′外部方向にテープ送りをする上記テープ送りローラ１０７′と、感熱テープ１０１′の搬送方向を転向させつつ搬送を行う上記搬送転向ロール１２０とを有している。また筐体１００′Ａの開口部１３１′には、カートリッジ１００′外部の上記発光ダイオード１９よりカートリッジ１００′内部に光を導入可能な凸レンズ１３０′を備えている。なお、集光する必要がない場合には凸レンズ１３０′を設けず集光機能の無い光透過部材としてもよく、また、開口部１３１のままとしてもよい。
【０１１４】
第１ロール１０２′は、リール部材１０２′ａの周りに、長手方向に複数の上記無線タグ回路素子Ｔoが順次形成された帯状の透明な上記感熱テープ１０１′を巻回している。
【０１１５】
第１ロール１０２′に巻き回される感熱テープ１０１′はこの例では３層構造となっており（図１５中部分拡大図参照）、外側に巻かれる側（図１５中右側）よりその反対側（図１５中左側）へ向かって、剥離紙（剥離材層）１０１′ａ、適宜の粘着材からなる粘着層（貼付用粘着材層）１０１′ｂ、ＰＥＴ（ポリエチレンテレフタラート）等から成るカバーフィルム１０１′ｃの順序で積層され構成されている（言い換えれば剥離紙１０１′ａはカバーフィルム１０１′ｃのうち反印字側に設けられている）。
【０１１６】
カバーフィルム１０１′ｃの裏側（図１５中右側）には、上記ＩＣ回路部１５１が一体的に設けられており、これに接続するように情報の送受信を行う上記アンテナ１５２が形成され、これらによって無線タグ回路素子Ｔoが構成されている。
【０１１７】
カバーフィルム１０１′ｃの裏側（図１５中右側）には、上記無線タグ回路素子Ｔoを内包するように設けた上記粘着層１０１′ｂによって上記剥離紙１０１′ａがカバーフィルム１０１′ｃに接着されている。なお、この剥離紙１０１′ａは、最終的にラベル状に完成した無線タグラベルＴが所定の商品等に貼り付けられる際に、これを剥がすことで粘着層１０１′ｂにより当該商品等に接着できるようにしたものである。
【０１１８】
そして、無線タグ回路素子Ｔoの剥離紙１０１′ａ側の近傍（この例ではアンテナ１５２の剥離紙１０１′ａ側粘着層１０１′ｂに）には光を集光するための上記レンズ部（タグ側レンズ）１４０が設けられ、剥離紙１０１′ａには、上記カートリッジ１００′の凸レンズ１３０′から導入された光を上記レンズ部１４０に導くための開口部１０１′ａＡが設けられている。すなわち、受光部１５９は、無線タグ回路素子Ｔoよりも粘着層１０１′ｂ側（言い換えれば剥離紙１０１ｄ側）から受光可能となっている。上記受光部１５９は、なおこの開口部１０１′ａＡは図示のような窓のような単純穴形状でなく、光を通す多孔メッシュ形状に構成されていてもよい。
【０１１９】
また、上記第１ロール１０２′の軸方向（図１５の紙面に向かって奥側）近傍には、一方側（この例では図１５の紙面に向かって手前側）に指向性を備えた指向性アンテナ（この例ではいわゆるパッチアンテナ）からなるアンテナ１４′が配置され、第１ロール１０２′の感熱テープ１０１′の凸レンズ１３０′の正対領域近傍に位置する無線タグ回路素子Ｔoと通信可能となるように配置されている。
【０１２０】
カートリッジ１００′が上記タグラベル作成装置２のカートリッジホルダ部に装着されローラホルダ（図示せず）が離反位置から当接位置に移動されると、感熱テープ１０１′が印字ヘッド１０とプラテンローラ１０８との間に狭持されるとともに、テープ送りローラ１０７′とサブローラ１０９との間に狭持される。そして、カートリッジ用モータ２３（図２等を参照）の駆動力によるテープ送りローラ駆動軸１２の駆動に伴い、テープ送りローラ１０７′、サブローラ１０９、及びプラテンローラ１０８が同期して回転し、第１ロール１０２′から感熱テープ１０１′が繰り出され、搬送転向ロール１２０で方向を転向された後、印字ヘッド１０側へと供給される。このようにして第１ロール１０２′から繰り出された感熱テープ１０１′に対し、上記凸レンズ１３０′の正対領域近傍において上記実施形態と同様に開口部１０１′ａＡ及び凸レンズ１４０を介し受光部１５９（図５参照）へ光が入射されて無線タグ回路素子Ｔoの書き込み機能が許可状態となり、前述のアンテナ１４′を介し無線タグ回路素子Ｔoのメモリ部１５７（図５参照）への無線タグ情報書き込みが行われた後、印字ヘッド１０へと供給される。
【０１２１】
印字ヘッド１０は、その複数の発熱素子が上記印刷駆動回路２５（図２等を参照）により通電され、これにより感熱テープ１０１′のカバーフィルム１０１′ｃの表面に印字が印刷され、印字済タグラベル用テープ１１０′として形成された後、カートリッジ１００′外へと搬出される。なお、前述の実施形態のようなインクリボンを用いた印字としてもよいことは言うまでもない。
【０１２２】
カートリッジ１００′外へ搬出した後、送出ローラ１７による搬送、カッタ１５による切断等については上記と同様であるので説明を省略する。
【０１２３】
本変形例においても、上記実施形態と同様、作成後の無線タグラベルＴにおいて、貼り付け後は受光部１５９における光の受光がほぼ遮断され、無線タグ情報の改変を防止することができるという効果を得る。
【０１２４】
（３）カートリッジ側レンズの形状バリエーション
以上においては、カートリッジ外より内部へ光を導入する光導入部として筐体１００Ａ（又は１００′Ａ）に設けた開口部１３１（又は１３１′）に、カートリッジ側レンズとして集光機能を果たす凸レンズ１３０（１３０′）を設けたが、レンズ形状はこれに限られない。例えば、前述の図３に対応する図１６に示すように、いわゆる円筒型レンズ（シリンドリカルレンズ）１３０″を用いて集光してもよい。この場合、基材テープ１０１のテープ長手方向に沿って細長い集光形状を基材テープ１０１上に形成することができる。
【０１２５】
（４）開口部を開閉する手段を設けた場合
また、カートリッジ筐体１００Ａ（又は１００′Ａ）の上記開口部１３１（又は１３１′）を開閉する機構を設けてもよい。図１７は、このような変形例の一例として前述の図３に対応する構造を表したものである。図１７において、開口部１３１及びここに設けた凸レンズ１３０の裏側（カートリッジ内部側）には、開口部１３１を開閉可能なシャッター（開閉手段）１４５が設けられている。このシャッター１４５はそのスライド部１４５Ａが、筐体１００Ａに設けた縦長のスライド溝１３２に挿通されており、これによって、スライド部１４５Ａが図示の上部位置（「閉」位置）に位置した場合はスライド部１４５Ａが図示のように上方へスライドした状態となり、開口部１３１及び凸レンズ１３０の裏側に位置してカートリッジ内部への入光を遮断する。そしてスライド部１４５Ａが図示の下部位置（「開」位置）に位置した場合はスライド部１４５Ａが図中下方へスライドした状態となってカートリッジ内部への入光を許容するようになっている。
【０１２６】
本変形例においては、上記シャッター１４５のスライド構造により、無線タグ回路素子Ｔoの受光部１５９に光導入を行わないときにはシャッター１４５を閉じ状態にし、遮光を行うことができる。例えばシャッター１４５はタクラベル作成装置２にセットされていないときは閉じ状態とし、装置２にセットされると開き状態となるようにすればよい。なお、開閉手段はスライド式には限られず、回動式等でもよい。また、着脱式も考えられ、同様の効果を得る。
【０１２７】
また、詳細な図示及び説明を省略するが、カートリッジ１００がタグラベル作成装置２のカートリッジホルダに装着されたときに、シャッター１４５等の開閉手段を自動的に上記の開き状態とする開閉補助手段（例えば装着時に上記スライド部１４５Ａに当接してスライド部１４５Ａを図１７中の下方へ押し下げるようなリンク機構、カム機構等）を設けてもよい。この場合、カートリッジ未装着状態では開閉手段を閉じ状態として確実に遮光を行いつつ、カートリッジ装着状態では開閉手段を開き状態とすることができる。
【０１２８】
（５）遮光層を設けた場合
上記実施形態においては、基材テープ１０１が上述したように粘着層１０１ａ、ベースフィルム１０１ｂ、粘着層１０１ｃ、剥離紙１０１ｄの４層構造となっていたが、図１８に示すように、さらに５層目として剥離紙１０１ｄの厚み方向一方側（粘着層１０１ｃと反対側）に例えば黒色フィルムからなる遮光層１０１ｅを設けてもよい。
【０１２９】
図１９は、この変形例におけるカートリッジ１００″の概念的構成を表す図であり、基材テープ１０１が凸レンズ１３０と正対する直前の位置に遮光層巻き取りロール１３５を設け、基材テープ１０１のうち上記遮光層１０１ｅを巻き取って剥離除去するようにする。
【０１３０】
このように構成した本変形例においては、凸レンズ１３０を介し受光部１５９へ光を入射しする直前（無線タグ情報へのアクセスの直前）で遮光層１０１ｅを剥離するようにすることで、本来の無線タグ情報の書き込み動作前の誤書き込みを確実に防止できる効果がある。
【０１３１】
なお、以上においては、無線タグ回路素子Ｔoのメモリ部１５７へのアクセス（無線タグ情報の書き込み）の際、受光部１５９への入光は無線タグ回路素子Ｔoの書き込み機能を禁止状態から許可状態とするかどうかのみを行う機能であって、活性化した無線タグ回路素子Ｔoに対する無線タグ情報の授受については、アンテナ１５２を介した通常の無線通信を介して行われたが、これに限られない。すなわち、無線タグ情報の授受自体も受光部１５９を介した光通信等によって行ってもよい。この場合も、受光部１５９が剥離紙１０１ｄ側に設けられていることによって、上記実施形態と同様の効果を得ることができる。
【０１３２】
また、発光ダイオード１９からカートリッジ１００内へ導入する光も、以上のように常時発光させっぱなしにしておくのではなく、上記の無線タグ回路素子Ｔoへの情報書き込み動作に連動させて、その書き込みを行うときのみ発光させ、それが終了したら発光停止するようにしてもよい。この場合、上記のように発光エネルギーの節約を図ることができる。
【０１３３】
また、以上においては、印刷動作に伴いカートリッジ１００等の内部を移動中の基材テープ１０１（又は感熱テープ１０１′）に対して情報書き込みを行う例を示したが、これに限られず、基材テープ１０１等を所定位置で停止させて（さらに所定の搬送ガイドにて保持した状態で）上記書き込みを行うようにしてもよい。
【０１３４】
さらに、以上で用いた「Scroll All ID」信号、「Erase」信号、「Verify」信号、「Program」信号とは、ＥＰＣ  ｇｌｏｂａｌが策定したＡｕｔｏ−ＩＤ仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１３５】
その他、一々例示はしないが、本発明は、その趣旨を逸脱しない範囲内において、種々の変更が加えられて実施されるものである。
【図面の簡単な説明】
【０１３６】
【図１】本発明の一実施形態の無線タグラベルを作成するラベル作成装置を備えた無線タグ生成システムを表すシステム構成図である。
【図２】図１に示したラベル作成装置の詳細構造を表す概念的構成図である。
【図３】図２に示したカートリッジの外観を表す斜視図である。
【図４】図２に示したカートリッジの詳細構造を説明するための説明図である。
【図５】図２に示した高周波回路の詳細機能を発光ダイオード及び光照射駆動回路と併せて示す機能ブロック図である。
【図６】無線タグ回路素子の機能的構成を表す機能ブロック図である。
【図７】本発明の一実施形態の無線タグラベルの外観の一例を表す、上面図及び下面図である。
【図８】図７中VIII−VIII′断面による横断面図である。
【図９】剥離紙自体を透明な光透過性材料で構成した変形例を表す図である。
【図１０】剥離紙を特定範囲の波長の光を透過させる性質を備えた光透過性材料にて構成した変形例を表す図である。
【図１１】無線タグ情報へのアクセス時に端末又は汎用コンピュータに表示される画面の一例を表す図である。
【図１２】制御回路によって実行される制御手順を表すフローチャートである。
【図１３】図１２のステップＳ３０の詳細手順を表すフローチャートである。
【図１４】カートリッジを用いない変形例によるラベル作成装置の詳細構造を表す概念的構成図である。
【図１５】貼り合わせを行わない変形例におけるカートリッジの詳細構造を説明するための説明図である。
【図１６】円筒型レンズを設けた変形例におけるカートリッジの外観を表す斜視図である。
【図１７】開口部開閉手段を設けた変形例におけるカートリッジの外観を表す図である。
【図１８】遮光層を設けた変形例の基材テープ構造を表す断面図である。
【図１９】遮光層を設けた変形例におけるカートリッジの概念的構成を表す図である。
【符号の説明】
【０１３７】
２            ラベル作成装置
１２          圧着ローラ駆動軸（テープ駆動軸）
１９          発光ダイオード（光照射部）
２９          光照射駆動回路（制御手段）
３０          制御回路（制御手段）
１００        カートリッジ
１００′    カートリッジ
１００″      カートリッジ
１００Ａ      筐体
１００′Ａ    筐体
１０１        基材テープ（タグテープ）
１０１ａ      粘着層（貼合せ用粘着材層）
１０１ｃ      粘着層（貼付用粘着材層）
１０１ｄ      剥離紙（剥離材層）
１０１ｄＡ    開口部
１０１ｄ′    剥離紙（剥離材層）
１０１ｄ″    剥離紙（剥離材層）
１０１ｅ      遮光層
１０１′      感熱テープ（タグテープ）
１０１′ａ    剥離紙（剥離材層）
１０１′ａＡ  開口部
１０１′ｂ    粘着層（貼付用粘着材層）
１０２        第１ロール（タグテープロール）
１０２′      第１ロール（タグテープロール）
１０２″      第１ロール（タグテープロール）
１０３        カバーフィルム（被印字テープ）
１３０        凸レンズ（カートリッジ側レンズ）
１３１        光導入部
１４０        凸レンズ（タグ側レンズ）
１４５        シャッター（開閉手段）
１５１        ＩＣ回路部
１５２        アンテナ
１５９        受光部
Ｔ            無線タグラベル
Ｔo           無線タグ回路素子
【図１】
2006085519.tif 000003
【図２】
2006085519.tif 000004
【図３】
2006085519.tif 000005
【図４】
2006085519.tif 000006
【図５】
2006085519.tif 000007
【図６】
2006085519.tif 000008
【図７】
2006085519.tif 000009
【図８】
2006085519.tif 000010
【図９】
2006085519.tif 000011
【図１０】
2006085519.tif 000012
【図１１】
2006085519.tif 000013
【図１２】
2006085519.tif 000014
【図１３】
2006085519.tif 000015
【図１４】
2006085519.tif 000016
【図１５】
2006085519.tif 000017
【図１６】
2006085519.tif 000018
【図１７】
2006085519.tif 000019
【図１８】
2006085519.tif 000020
【図１９】
2006085519.tif 000021